(57)【要約】【課題】伴奏音を含むループ・フレーズをループ録音によって作成する場合に、音質の良いループ・フレーズを作成できる電子楽器を提供すること。【解決手段】本発明の電子楽器によれば、ループ記憶制御手段において、伴奏音発生手段により順次発生された伴奏音は、前記所定区間のループ１周分のみ記憶手段に記憶されるよう、伴奏音記憶制御手段により制御される。また、ループ記憶制御手段において、伴奏音発生手段により順次発生された伴奏音の演奏情報は、前記所定区間のループ１周分のみ記憶手段に記憶されるよう、伴奏音記憶制御手段により制御される。よって、音質に悪影響を与える不具合の発生を防ぐことができ、音質の良いループ・フレーズを作成することができる。【選択図】図４
2012093491.tif 000002
【特許請求の範囲】
【請求項１】
伴奏音を順次発生する伴奏音発生手段と、
伴奏音又は演奏音を含む楽音を順次記憶する記憶手段と、
前記記憶手段に記憶された所定区間の楽音を、所定区間をループしながら順次読み出すことによりループ再生するループ再生手段と、
前記ループ再生手段により前記記憶手段から順次読み出した楽音と、前記伴奏音発生手段により順次発生された伴奏音又は順次入力された演奏音の少なくとも一方とを合成して、前記所定区間をループしながら前記記憶手段に順次記憶するループ記憶制御手段と、
前記ループ記憶制御手段において、前記伴奏音発生手段により順次発生された伴奏音を前記所定区間のループ１周分のみ前記記憶手段に記憶するよう制御する伴奏音記憶制御手段とを有することを特徴とする電子楽器。
【請求項２】
伴奏音を演奏情報に基づき順次発生する伴奏音発生手段と、
伴奏音又は演奏音に対応する演奏情報を順次記憶する記憶手段と、
前記記憶手段に記憶された所定区間の演奏情報を、所定区間をループしながら順次読み出すことにより、前記演奏情報に基づく楽音のループ再生を行うループ再生手段と、
前記ループ再生手段により前記記憶手段から順次読み出した演奏情報と、前記伴奏音発生手段により順次発生された伴奏音の演奏情報又は順次入力された演奏の演奏情報の少なくとも一方とをマージして、前記所定区間をループしながら前記記憶手段に順次記憶するループ記憶制御手段と、
前記ループ記憶制御手段において、前記伴奏音発生手段により順次発生された伴奏音の演奏情報を前記所定区間のループ１周分のみ前記記憶手段に記憶するよう制御する伴奏音記憶制御手段とを有することを特徴とする電子楽器。
【発明の詳細な説明】
【技術分野】
【０００１】
本発明は、電子楽器に関し、特に、伴奏音を含むループ・フレーズをループ録音によって作成する場合に、音質の良いループ・フレーズを作成できる電子楽器に関する。
【背景技術】
【０００２】
特許文献１，２には、ＲＡＭなどの記憶手段に記憶された楽音と、新たに入力された楽音とを合成して、前記記憶手段に多重録音できるレコーダが記載されている。このような多重録音可能なレコーダを用い、所定長のループ区間をループ（周回）させつつ、そのループの各周において入力された演奏音を多重録音していく、所謂「ループ録音」と呼ばれる録音を行うことにより、自動演奏用のループ・フレーズを作成できる。
【先行技術文献】
【特許文献】
【０００３】
【特許文献１】特開２００６−０２３５６９号公報
【特許文献２】特開２００６−０２３５９４号公報
【発明の概要】
【発明が解決しようとする課題】
【０００４】
上記特許文献に記載されるレコーダを用いて、伴奏音に合わせて演奏者が演奏した演奏音とをループ録音によって多重録音する場合に、２周目以降のループにおいて、１周目において録音された伴奏音に、繰り返された伴奏音がほぼ同じタイミングで重ねて録音されると、波形のレベルが意図せずに増幅したり、位相がずれたような音色が生じることがあり、得られるループ・フレーズの音質が損なわれるという問題点があった。
【０００５】
本発明は、上述した問題点を解決するためになされたものであり、伴奏音を含むループ・フレーズをループ録音によって作成する場合に、音質の良いループ・フレーズを作成できる電子楽器を提供することを目的としている。
【課題を解決するための手段および発明の効果】
【０００６】
この目的を達成するために、請求項１記載の電子楽器によれば、記憶手段に記憶された伴奏音又は演奏音を含む楽音であって所定区間の楽音が、ループ再生手段により該記憶手段から順次読み出された場合に、その順次読み出された楽音と、伴奏音発生手段により順次発生された伴奏音又は順次入力された演奏音の少なくとも一方とが、ループ記憶制御手段によって合成され、前記所定区間をループしながら前記記憶手段に順次記憶される。このループ記憶制御手段において、伴奏音発生手段により順次発生された伴奏音は、前記所定区間のループ１周分のみ記憶手段に記憶されるよう、伴奏音記憶制御手段によって制御される。よって、伴奏音発生手段により順次発生される伴奏音が、繰り返し重ねて記憶手段に記憶されることがないので、記憶手段に記憶された伴奏音は、その波形のレベルに意図しない増幅が生じたり、位相がずれたような音色が発生するなどの、音質に悪影響を与える不具合の発生を防ぐことができ、音質の良いループ・フレーズを作成できるという効果がある。
【０００７】
なお、請求項１において「前記伴奏音発生手段により順次発生された伴奏音を前記所定区間のループ１周分のみ前記記憶手段に記憶する」とは、伴奏音をループ１周分のみ記憶する構成を表すだけでなく、１周分を適切な音量レベルで記憶し、１周を超える分を、上記適切な音量レベルに比べてごく小さい音量レベルで記憶するなど、ループ１周分のみ記憶することと実質的に同等の構成を含むものとする。また、この「前記伴奏音発生手段により順次発生された伴奏音を前記所定区間のループ１周分のみ前記記憶手段に記憶する」は、伴奏音を該所定区間の最初から最後までの１周分だけ記憶手段に記憶することに限定されず、所定区間内の所定位置から、次のループにおける当該所定位置に到るまでの１周分の伴奏音を記憶手段に記憶することを含むことを意図する。
【０００８】
請求項２記載の電子楽器によれば、記憶手段に記憶された演奏情報（伴奏音の演奏情報又は演奏に基づく演奏情報）であって所定区間の演奏情報が、ループ再生手段により該記憶手段から順次読み出されることによりループ再生される場合に、その順次読み出された演奏情報と、伴奏音発生手段により順次発生された伴奏音の演奏情報又は順次入力された演奏に基づく演奏情報の少なくとも一方とが、ループ記憶制御手段によってマージされ、前記所定区間をループしながら前記記憶手段に順次記憶される。このループ記憶制御手段において、伴奏音発生手段により順次発生された伴奏音の演奏情報は、前記所定区間のループ１周分のみ記憶手段に記憶されるよう、伴奏音記憶制御手段によって制御される。よって、記憶手段に記憶されたループ１周分の演奏情報に基づく伴奏音が、その後に伴奏音発生手段により順次発生された伴奏音と重ねて発音されることがないので、記憶手段に記憶された演奏情報に基づく伴奏音の波形のレベルに意図しない増幅が生じたり、位相がずれたような音色が発生するなどの、音質に悪影響を与える不具合の発生を防ぐことができ、音質の良いループ・フレーズを作成できるという効果がある。
【０００９】
なお、請求項２において「前記伴奏音発生手段により順次発生された伴奏音の演奏情報を前記所定区間のループ１周分のみ前記記憶手段に記憶する」とは、伴奏音の演奏情報をループ１周分のみ記憶する構成を表すだけでなく、１周分の伴奏音が適切な音量レベルとなるような演奏情報を記憶し、１周を超える分について、上記適切な音量レベルに比べてごく小さい音量レベルとなるような演奏情報を記憶するなど、ループ１周分のみ記憶することと実質的に同等の構成を含むものとする。また、この「前記伴奏音発生手段により順次発生された伴奏音の演奏情報を前記所定区間のループ１周分のみ前記記憶手段に記憶する」は、演奏情報を該所定区間の最初から最後までの１周分だけ記憶手段に記憶することに限定されず、所定区間内の所定位置から、次のループにおける当該所定位置に到るまでの１周分の演奏情報を記憶手段に記憶することを含むことを意図する。
【図面の簡単な説明】
【００１０】
【図１】本発明の一実施形態である電子楽器の構成を示すブロック図である。
【図２】電子楽器の外観の一例を示す模式図である。
【図３】電子楽器のＣＰＵが実行するメイン処理を示すフローチャートである。
【図４】メイン処理の中で実行されるループ録音処理を示すフローチャートである。
【図５】ループ録音処理の実行に伴う演奏情報及び楽音の流れを模式的に示すルーティング図である。
【図６】ループ録音により演奏情報を録音する場合における演奏情報及び楽音の流れを模式的に示すルーティング図である。
【発明を実施するための形態】
【００１１】
以下、本発明の好ましい実施例について、添付図面を参照して説明する。図１は、本発明の一実施形態である電子楽器１の構成を示すブロック図である。この電子楽器１は、ループ録音機能を有し、そのループ録音機能を用いて、自動伴奏（自動演奏）による伴奏音に、演奏者が鍵盤１６などからの入力に基づく演奏音を重ねたループ・フレーズを作成することができるように構成されている。詳細は後述するが、本実施形態の電子楽器１は、自動伴奏による伴奏音を含むループ・フレーズを作成する場合に、ループ録音における２周目以降の重ね録音（多重録音）の際に自動伴奏を停止するよう制御するので、良好な音質のループ・フレーズを作成することができる。
【００１２】
図１に示すように、電子楽器１は、ＣＰＵ１１と、ＲＯＭ１２と、ＲＡＭ１３と、フラッシュメモリ１４と、操作パネル１５と、鍵盤１６と、ＭＩＤＩ＿Ｉ／Ｆ１７と、ＵＳＢ＿Ｉ／Ｆ１８と、音源１９と、ＤＳＰ２０と、デジタルアナログコンバータ（ＤＡＣ）２１と、アナログデジタルコンバータ（ＡＤＣ）２２とを有しており、ＤＡＣ２１及びＡＤＣ２２を除く各部１１〜２０は、バスライン２３を介して接続されている。ＤＡＣ２１及びＡＤＣ２２は、それぞれ、ＤＳＰ２０に接続されている。
【００１３】
ＣＰＵ１１は、ＲＯＭ１２やＲＡＭ１３に記憶される固定値データや制御プログラムに従って、電子楽器１の各部を制御する中央制御装置である。ＲＯＭ１２は、書き替え不能なメモリであって、ＣＰＵ１１に実行させる制御プログラム１２ａや、この制御プログラム１２ａが実行される際にＣＰＵ１１により参照される固定値データ（図示せず）などが記憶される。なお、図３及び図４のフローチャートに示す各処理は、制御プログラム１２ａにより実行される。
【００１４】
ＲＡＭ１３は、書き替え可能なメモリであり、ＣＰＵ１１が制御プログラム１２ａを実行するにあたり、各種のデータを一時的に記憶するためのワークエリア（図示せず）を有している。ＲＡＭ１３は、録音用メモリ１３ａを有している。録音用メモリ１３ａには、ループ録音処理（図４参照）による録音データ（本実施形態では、楽音のオーディオ信号）が記憶される。
【００１５】
フラッシュメモリ１４は、書き換え可能な不揮発性のメモリであり、自動伴奏パターンメモリ１４ａと、保存用メモリ１４ｂとを有している。自動伴奏パターンメモリ１４ａには、複数の、ＭＩＤＩデータ（演奏情報）から構成される自動伴奏パターンが記憶される。なお、ＭＩＤＩとは「Musical Instrument Digital
Interface」の略である。自動伴奏パターンメモリ１４ａに記憶される複数の自動伴奏パターンには、スタイル（例えば、ポップス、ジャズ、ロック等）毎に、１又は複数のパターンが含まれる。また、自動伴奏パターンメモリ１４ａに記憶される自動伴奏パターンは、メトロノーム音やドラムパターンなどであってもよい。自動伴奏パターンメモリ１４ａに記憶される各自動伴奏パターンは、各自動伴奏パターンを特定する番号（自動伴奏パターン番号）により管理される。以下では、自動伴奏パターンを構成する演奏情報（ＭＩＤＩデータ）を「自動伴奏演奏情報」と称することがある。保存用メモリ１４ｂには、ループ録音処理（図４参照）による重ね録音により作成されたループ・フレーズが保存される。
【００１６】
操作パネル１５は、電子楽器１において操作するための各種操作子や、電子楽器１の操作に基づく各種情報を表示するディスプレイなどを含んで構成されるパネルである。詳細は図２を参照して後述するが、操作パネル１５には、ループ録音を行うために必要な各種操作子が設けられている。
【００１７】
鍵盤１６は、複数の白鍵および黒鍵から構成される。鍵盤１６が演奏者によって操作（押鍵又は離鍵）されると、音高情報及び音量情報などを含むノートオン情報や、離鍵されたことを示すノートオフ情報等から構成されるＭＩＤＩデータが、ＣＰＵ１１による制御に基づき、音源１９に供給される。以下では、演奏者が鍵盤１６を操作することにより音源１９に供給されるＭＩＤＩデータ（演奏情報）を「手弾き演奏情報」と称することがある。
【００１８】
ＭＩＤＩ＿Ｉ／Ｆ１７は、外部ＭＩＤＩ機器４３（例えば、ＭＩＤＩキーボードなど）を接続するためのインターフェイスである。外部ＭＩＤＩ機器４３から出力された演奏情報としてのＭＩＤＩデータは、ＭＩＤＩ＿Ｉ／Ｆ１７を介して、音源１９に供給される。以下では、ＭＩＤＩ＿Ｉ／Ｆ１７を介して外部ＭＩＤＩ機器４３から入力され、音源１９に供給される演奏情報（ＭＩＤＩデータ）を「外部ＭＩＤＩ演奏情報」と称することがある。
【００１９】
ＵＳＢ＿Ｉ／Ｆ１８は、ＵＳＢメモリ３１を接続するためのインターフェイスである。ＵＳＢ＿Ｉ／Ｆ１８にＵＳＢメモリ３１を接続することにより、ループ録音処理（図４参照）による重ね録音により作成されたループ・フレーズを、保存用メモリ１４ｂに換えて、ＵＳＢメモリ３１に設けた保存用メモリ３１ａに保存することができる。あるいは、保存用メモリ１４ｂに保存されているループ・フレーズを、ＵＳＢメモリ３１の保存用メモリ３１ａにコピー又は移動することができる。電子楽器１にて作成されたループ・フレーズをＵＳＢメモリ３１（保存用メモリ３１ａ）に保存することにより、作成したループ・フレーズを他の電子楽器やＰＣ、オーディオ機器などで使用することが可能となる。
【００２０】
音源１９は、自動伴奏演奏情報、手弾き演奏情報、又は外部ＭＩＤＩ演奏情報に基づき、内蔵の波形メモリ（図示せず）に記憶されている楽音波形から、各演奏情報に応じた音高、音量、音色の楽音（オーディオ信号）を発生したり、その楽音の発生を停止したりする。図示されない波形メモリには、種々の音色（例えば、ピアノやギターなど）の楽音波形が、音高に応じて記憶されている。
【００２１】
音源１９から出力されたデジタル信号である楽音は、ＤＡＣ２１に入力され、ＤＡＣ２１によりアナログ信号に変換されて出力される。ＤＡＣ２１には、図示されないアンプを介してスピーカ４１が接続されており、ＤＡＣ２１により変換されたアナログ信号の楽音はアンプにより増幅されてスピーカ４１から放音される。
【００２２】
ＡＤＣ２２には、マイク４２などの楽音入力機器が接続される。マイク４２からＡＤＣ２２に入力されたアナログ信号の楽音（例えば、音声などの演奏音）は、ＡＤＣ２２によりデジタル信号に変換されて、ＤＳＰ２０へ出力される。なお、ＡＤＣ２２を介してマイク４２などの楽音入力機器から入力された楽音を「外部入力音」と称することがある。また、ＡＤＣ２２に接続される楽音入力装置としては、上述したマイク４２以外にも、ギターやベースなどの電気楽器や、シンセサイザーなどの電子楽器などであってもよい。即ち、上記電気楽器や上記電子楽器などから出力されるアナログ信号をＡＤＣ２２を介して外部入力音として電子楽器１に入力してもよい。なお、ギターやベースなどの電気楽器から出力される外部入力音としてのアナログ信号は、プリアンプや各種エフェクターを経由してＡＤＣ２２に入力されるものであってもよい。
【００２３】
上記構成を有する本実施形態の電子楽器１は、ループ録音機能により、自動伴奏パターン（自動伴奏演奏情報）に基づく伴奏音に、鍵盤１６から入力された手弾き演奏情報に基づく演奏音、ＭＩＤＩ＿Ｉ／Ｆ１７を介して入力された外部ＭＩＤＩ演奏情報に基づく演奏音、及びＡＤＣ２２を介して入力された外部入力音のうち、少なくとも１つの音を重ね録音（多重録音）することができる。
【００２４】
次に、図２を参照して、上述した操作パネル１５について説明する。図２は、電子楽器１の外観の一例を示す模式図である。図２に示すように、操作パネル１５は、鍵盤１６の上方に設けられる。
【００２５】
操作パネル１５には、液晶ディスプレイ（ＬＣＤ）１５ａと、ＶＡＬＵＥボタン１５ｂと、ＳＴＡＲＴ／ＳＴＯＰボタン１５ｃと、ＷＲＩＴＥボタン１５ｄとが設けられる。ＬＣＤ１５ａは、電子楽器１の操作に基づく各種情報を表示する表示画面である。図２に示すように、ＬＣＤ１５ａには、現在設定されている自動伴奏パターンを示す自動伴奏パターン番号が表示されると共に、現在の演奏テンポと、設定された自動伴奏パターンに対する演奏長とが表示される。具体的に、図２に示す例では、ＬＣＤ１５ａには、「自動伴奏パターン番号：０１」と、「ＴＥＭＰＯ＝１２０」と、「ＭＥＳＵＲＥ＝４」とが表示されている。これは、自動伴奏パターン番号が「０１」である自動伴奏パターンが設定され、現在のテンポが「１２０」であり、設定された自動伴奏パターンの演奏長が「４小節」であることを示す。
【００２６】
ＶＡＬＵＥボタン１５ｂは、各種パラメータの数値を増減させるための操作子である。このＶＡＬＵＥボタン１５ｂは、例えば、自動伴奏パターンメモリ１４ａに記憶される複数の自動伴奏パターンの中から、自動伴奏させるための１つの自動伴奏パターンを演奏者に選択させるために使用される。ＶＡＬＵＥボタン１５ｂは、数値を大きくするための＋ボタン１５ｂ１と、数値を小さくするための−ボタン１５ｂ２とから構成される。演奏者は、自動伴奏パターンを選択する場合に、＋ボタン１５ｂ１又は−ボタン１５ｂ２を適宜操作することにより、自動伴奏パターン番号の値を増減させ、所望の自動伴奏パターンに対応付けられた自動伴奏パターン番号の値に到達させることにより、１つの自動伴奏パターンを選択できる。また、ＶＡＬＵＥボタン１５ｂは、テンポ（ＴＥＭＰＯ）の値を設定する場合にも使用される。
【００２７】
ＳＴＡＲＴ／ＳＴＯＰボタン１５ｃは、ループ録音の開始と終了とを指示するための操作子である。ループ録音がされていない状態で演奏者がＳＴＡＲＴ／ＳＴＯＰボタン１５ｃを操作すると、後述するループ録音処理（図４参照）によるループ録音が開始される。一方で、ループ録音の実行中に演奏者がＳＴＡＲＴ／ＳＴＯＰボタン１５ｃを操作することにより、実行中のループ録音を終了させることができる。
【００２８】
ＷＲＩＴＥボタン１５ｄは、ＲＡＭ１３の録音用メモリ１３ａに記憶（録音）されている録音データを、フラッシュメモリ１４の保存用メモリ１４ｂ又はＵＳＢメモリ３１の保存用メモリ３１ａのいずれかに保存させるための操作子である。なお、保存用メモリ１４ｂ又は保存用メモリ３１ａのいずれに保存するかは、操作パネル１５上に設けられた図示されない操作子により指定できる。
【００２９】
また、図２に示すように、電子楽器１には、オーディオ入力端子２２ａとＭＩＤＩ入力端子１７ａとが操作パネル１５の上方に設けられている。オーディオ入力端子２２ａは、マイク４２などの楽音入力機器を接続するための端子であり、例えば、この端子２２ａにマイク４２の端子を挿入することにより、マイク４２をＡＤＣ２２に接続できる。また、ＭＩＤＩ入力端子１７ａは、外部ＭＩＤＩ機器４３を接続するための端子であり、この端子１７ａに外部ＭＩＤＩ機器４３の端子を挿入することにより、外部ＭＩＤＩ機器４３を、ＭＩＤＩ＿Ｉ／Ｆ１７に接続することができる。
【００３０】
次に、図３を参照して、上記構成を有する電子楽器１のＣＰＵ１１が実行するメイン処理について説明する。図３は、ＣＰＵ１１が実行するメイン処理を示すフローチャートである。
【００３１】
メイン処理は、電子楽器１への電源投入により起動し、電子楽器１の初期化処理（例えば、レジスタやフラグなどの初期化）を実行し（Ｓ３０１）、自動伴奏パターン番号の初期値（例えば、「０１」）の自動伴奏パターンを設定する（Ｓ３０２）。次に、Ｓ３０２において設定された自動伴奏パターンのティック数及び拍情報と、現在のテンポとから、その自動伴奏パターンのループエンドポイントを算出する（Ｓ３０３）。
【００３２】
Ｓ３０３の処理後、ＶＡＬＵＥボタン１５ｂ（１５ｂ１，１５ｂ２）が操作されたか否かを判定する（Ｓ３０４）。ＶＡＬＵＥボタン１５ｂが操作されておらず、Ｓ３０４による判定が否定される場合には（Ｓ３０４：Ｎｏ）、処理をＳ３０９へ移行する。
【００３３】
一方、ＶＡＬＵＥボタン１５ｂが操作されたと判定された場合（Ｓ３０４：Ｙｅｓ）、録音用メモリ１３ａに録音データがあるか否かを判定する（Ｓ３０５）。Ｓ３０５による判定が肯定される場合には（Ｓ３０５：Ｙｅｓ）、録音用メモリ１３ａの内容をクリア（ゼロクリア）し（Ｓ３０６）、処理をＳ３０７へ移行する。Ｓ３０５による判定が否定される場合には（Ｓ３０５：Ｎｏ）、Ｓ３０６の処理を行うことなく、処理をＳ３０７へ移行する。
【００３４】
Ｓ３０７では、ＶＡＬＵＥボタン１５ｂの操作により設定された自動伴奏パターン番号の設定値に応じた自動伴奏パターンを設定する（Ｓ３０７）。次に、Ｓ３０７において設定された自動伴奏パターンのティック数及び拍情報と、現在のテンポとから、その自動伴奏パターンのループエンドポイントを算出し（Ｓ３０８）、処理をＳ３０９へ移行する。
【００３５】
Ｓ３０９では、ＳＴＡＲＴ／ＳＴＯＰボタン１５ｃが操作されたか否かを判定する（Ｓ３０９）。ＳＴＡＲＴ／ＳＴＯＰボタン１５ｃが操作されたと判定された場合（Ｓ３０９：Ｙｅｓ）、ループ録音処理を実行する（Ｓ３１０）。なお、ループ録音処理（Ｓ３１０）において実行される詳細な処理については、図４を参照して後述する。ループ録音処理（Ｓ３１０）の実行後は、処理をＳ３１１へ移行する。一方、ＳＴＡＲＴ／ＳＴＯＰボタン１５ｃが操作されておらず、Ｓ３０９による判定が否定される場合もまた（Ｓ３０９：Ｎｏ）、処理をＳ３１１へ移行する。
【００３６】
Ｓ３１１では、ＷＲＩＴＥボタン１５ｄが操作されたか否かを判定する（Ｓ３１１）。ＷＲＩＴＥボタン１５ｄが操作されたと判定された場合には（Ｓ３１１：Ｙｅｓ）、録音用メモリ１３ａに録音されている録音データを、保存用メモリ１４ｂ又は保存用メモリ３１ａのうち、保存先として指定されたメモリに保存し（Ｓ３１２）、処理をＳ３０４へ戻す。一方で、ＷＲＩＴＥボタン１５ｄが操作されておらず、Ｓ３１１による判定が否定される場合もまた（Ｓ３１１：Ｎｏ）、処理をＳ３０４へ戻す。
【００３７】
次に、図４を参照して、上述したループ録音処理（Ｓ３１０）について説明する。図４は、メイン処理の中で実行されるループ録音処理（Ｓ３１０）を示すフローチャートである。ループ録音処理（Ｓ３１０）が開始されると、Ｓ３０２又はＳ３０７にて設定された自動伴奏パターンにおける読み出し開始アドレスの自動伴奏演奏情報を読み出して音源１９に供給することにより自動伴奏を開始し、その自動伴奏の開始と同時に（即ち、その開始に同期させて）録音用メモリ１３ａへのループ録音を録音開始アドレスから開始する（Ｓ４０１）。
【００３８】
Ｓ４０１の処理後、ループ録音における１周目の録音を、上書き録音処理による録音用メモリ１３ａへの録音によって行う（Ｓ４０２）。自動伴奏情報に基づき音源１９にて発生される楽音（オーディオ信号）を、録音用メモリ１３ａにおける録音開始アドレスから上書きにより録音する。このとき、自動伴奏に合わせて、鍵盤１６又は外部ＭＩＤＩ機器４３から演奏情報（手弾き演奏情報、外部ＭＩＤＩ演奏情報）が入力される場合には、その演奏情報に基づき音源１９にて発生される楽音と、自動伴奏による楽音との合成音を録音用メモリ１３ａに上書き録音する。また、自動伴奏に合わせて、マイク４２からＡＤＣ２２を介して外部入力音が入力される場合には、ＡＤＣ２２によりデジタル信号に変換された外部入力音と、自動伴奏による楽音との合成音を録音用メモリ１３ａに上書き録音する。なお、楽音の合成はＤＳＰ２０において行われる。
【００３９】
Ｓ４０２の処理後、ＳＴＡＲＴ／ＳＴＯＰボタン１５ｃが操作されたか否かを判定する（Ｓ４０３）。ＳＴＡＲＴ／ＳＴＯＰボタン１５ｃが操作されたと判定された場合（Ｓ４０３：Ｙｅｓ）、処理をＳ４１２へ移行する。一方で、ＳＴＡＲＴ／ＳＴＯＰボタン１５ｃが操作されておらず、Ｓ４０３による判定が否定される場合は（Ｓ４０３：Ｎｏ）、ライトアドレスがループエンドポイントに到達したか否かを判定する（Ｓ４０４）。Ｓ４０４の判定に用いるループエンドポイントは、実行中の自動伴奏が、Ｓ３０２にて設定された自動伴奏パターンに基づくものであれば、Ｓ３０３にて設定されたループエンドポイントである。一方で、実行中の自動伴奏が、Ｓ３０７にて設定された自動伴奏パターンに基づくものであれば、Ｓ３０８にて設定されたループエンドポイントである。
【００４０】
自動伴奏がループエンドポイントに未だ到達せず、Ｓ４０４による判定が否定される場合には（Ｓ４０４：Ｎｏ）、処理をＳ４０２へ戻す。このとき、自動伴奏パターンのリードアドレスと録音用メモリ１３ａのライトアドレスとをそれぞれ歩進させる。
【００４１】
一方で、ライトアドレスがループエンドポイントに到達し、Ｓ４０４による判定が肯定される場合には（Ｓ４０４：Ｙｅｓ）、１周目の録音が終了したので、録音用メモリ１３ａのライトアドレスを録音開始アドレスに戻す（Ｓ４０５）。Ｓ４０５の処理後、自動伴奏パターンの読み出しを停止することにより、自動伴奏を停止する（Ｓ４０６）。
【００４２】
Ｓ４０６の処理後、録音用メモリ１３ａに録音されている楽音（オーディオ信号）を、録音開始アドレスに等しい読み出し開始アドレスから読み出して、ループ再生を開始する（Ｓ４０７）。
【００４３】
Ｓ４０７の処理後、ループ録音における２周目以降の録音を、重ね録音処理による録音用メモリ１３ａへの録音によって行う（Ｓ４０８）。具体的には、録音用メモリ１３ａから読み出した楽音と、音源１９から新たに発生された楽音、又は、マイク４２からＡＤＣ２２を介して新たに入力された外部入力音とをＤＳＰ２０にて合成し、その合成音を録音用メモリ１３ａにおけるライトアドレスにより指定される位置に上書きにより録音する。なお、「音源１９から新たに発生された楽音」としては、鍵盤１６又は外部ＭＩＤＩ機器４３から入力された演奏情報（手弾き演奏情報、外部ＭＩＤＩ演奏情報）に基づき音源１９にて発生され出力される楽音が挙げられる。
【００４４】
Ｓ４０８の処理後、ＳＴＡＲＴ／ＳＴＯＰボタン１５ｃが操作されたか否かを判定する（Ｓ４０９）。ＳＴＡＲＴ／ＳＴＯＰボタン１５ｃが操作されたと判定された場合（Ｓ４０９：Ｙｅｓ）、処理をＳ４１２へ移行する。一方で、ＳＴＡＲＴ／ＳＴＯＰボタン１５ｃが操作されておらず、Ｓ４０９による判定が否定される場合は（Ｓ４０９：Ｎｏ）、ライトアドレスがループエンドポイントに到達したか否かを判定する（Ｓ４１０）。Ｓ４１０の判定に用いるループエンドポイントは、Ｓ４０４の判定に用いたループエンドポイントである。
【００４５】
ライトアドレスがループエンドポイントに未だ到達せず、Ｓ４１０による判定が否定される場合には（Ｓ４１０：Ｎｏ）、処理をＳ４０８へ戻す。このとき、録音用メモリ１３ａのライトアドレス及びリードアドレスをそれぞれ歩進させる。
【００４６】
一方で、ライトアドレスがループエンドポイントに到達し、Ｓ４１０による判定が肯定される場合には（Ｓ４１０：Ｙｅｓ）、録音用メモリ１３ａのライトアドレスを録音開始アドレスに戻す（Ｓ４１１）。このとき、録音用メモリ１３ａに録音されている楽音を、最初に戻して再生するために、録音用メモリ１３ａのリードアドレスも読み出し開始アドレスに戻す。
【００４７】
Ｓ４０３又はＳ４０９において、ＳＴＡＲＴ／ＳＴＯＰボタン１５ｃが操作されたと判定された場合（Ｓ４０３：Ｙｅｓ、Ｓ４０９：Ｙｅｓ）に実行されるＳ４１２では、録音用メモリ１３ａのループ再生を停止する（Ｓ４１２）。Ｓ４１２の処理後、ループ録音を停止し（Ｓ４１３）、録音用メモリ１３ａのライトアドレスを録音開始アドレスに戻し（Ｓ４１４）、ループ録音処理を終了し、図３のメイン処理に戻る。
【００４８】
ここで、図５を参照して、上述したループ録音処理により得られる効果について説明する。図５は、ループ録音処理の実行に伴う演奏情報及び楽音の流れを模式的に示すルーティング図である。なお、図５において、太線の矢印は、演奏情報（ＭＩＤＩデータ）の流れを示し、細線の矢印は、楽音（オーディオ信号）の流れを示す。
【００４９】
自動伴奏パターンメモリ１４ａに記憶され、演奏者がＶＡＬＵＥボタン１５ｂを操作して選択された１つの自動伴奏パターン（自動伴奏演奏情報）は、音源１９に供給される。音源１９において自動伴奏演奏情報に基づき発生した伴奏音としての楽音（オーディオ信号）は、ＤＳＰ２０に供給される。なお、自動伴奏演奏情報は、１周目の録音時にのみ音源１９に供給されるが、２周目以降の録音時には、Ｓ４０６において自動伴奏が停止されるため、音源１９への供給が停止される。
【００５０】
本実施形態の電子楽器１は、鍵盤１６又は外部ＭＩＤＩ機器４３から必要に応じて入力された演奏情報（手弾き演奏情報、外部ＭＩＤＩ演奏情報）に基づく楽音や、マイク４２などの楽音入力機器から入力された楽音も、ループ・フレーズの素材として使用できる。
【００５１】
例えば、演奏者が鍵盤１６を用いて演奏を行った場合には、その演奏に基づく手弾き演奏情報が音源１９に供給され、その手弾き演奏情報に基づき音源１９にて発生した楽音が、ＤＳＰ２０に供給される。また、外部ＭＩＤＩ機器４３から外部ＭＩＤＩ演奏情報が供給された場合には、その外部ＭＩＤＩ演奏情報は、ＭＩＤＩ＿Ｉ／Ｆ１７を介して音源１９へ供給され、その外部ＭＩＤＩ演奏情報に基づき音源１９にて発生した楽音が、ＤＳＰ２０に供給される。また、マイク４２から音声などの外部入力音が入力された場合には、その外部入力音は、ＡＤＣ２２によりデジタル信号に変換された後、ＤＳＰ２０に供給される。
【００５２】
１周目の録音時には、少なくとも、自動伴奏演奏情報に基づき音源１９にて発生された楽音（伴奏音）が録音用メモリ１３ａに上書き録音される。なお、１周目の録音時に、鍵盤１６からの手弾き演奏情報、外部ＭＩＤＩ機器４３からの外部ＭＩＤＩ演奏情報、及びマイク４２からの外部入力音のうち、少なくとも１つが入力された場合には、入力された演奏情報に基づく楽音や、入力された外部入力音は、ＤＳＰ２０にて、自動伴奏情報に基づく伴奏音と合成され、ＤＳＰ２０から出力される合成音が上書きによって録音用メモリ１３ａに録音される。一方で、ＤＳＰ２０から出力された楽音（即ち、少なくとも伴奏音を含む楽音）は、ＤＡＣ２１にも供給され、ＤＡＣ２１にてアナログ信号に変換された後、スピーカ４１から放音される。
【００５３】
１周目の録音により、少なくとも伴奏音を含む楽音が録音用メモリ１３ａに録音されると、録音用メモリ１３ａに録音された楽音（即ち、少なくとも伴奏音を含む楽音）のループ再生が開始され、再生された楽音がＤＳＰ２０に供給される。
【００５４】
上述した通り、２周目以降の録音時には、自動伴奏が停止されるために、音源１９への自動伴奏演奏情報の供給が停止される。よって、２周目以降の録音時には、録音用メモリ１３ａに録音されていた楽音の再生音と、鍵盤１６又は外部ＭＩＤＩ機器４３から入力された演奏情報に基づく楽音及び／又はマイク４２からＡＤＣ２２を介して入力された外部入力音とが、ＤＳＰ２０にて合成され（即ち、重ねられて）、ＤＳＰ２０から出力される楽音が上書きによって録音用メモリ１３ａに録音される。一方で、２周目以降においても、ＤＳＰ２０から出力された楽音は、ＤＡＣ２１に供給され、ＤＡＣ２１にてアナログ信号に変換された後、スピーカ４１から放音される。
【００５５】
よって、上述した図４のループ録音処理によれば、ループ録音における１周目の録音では、自動伴奏パターンによる自動伴奏により発生した楽音（伴奏音）を録音用メモリ１３ａに録音するが、２周目の録音に入る前（即ち、Ｓ４０８の重ね録音処理が実行される前）に、Ｓ４０６において自動伴奏が停止されるので、２周目及びそれ以降の録音では、自動伴奏による伴奏音が、１周目の録音によって録音用メモリ１３ａに既に録音されている伴奏音に重ねて録音されることがない。このように、同じ自動伴奏パターン（自動伴奏演奏情報）に基づく同じ伴奏音がほぼ同じタイミングで重ねて録音されることがないので、波形レベルの意図しない増幅や、位相がずれたような音色の発生などの不具合が生じることを防止することができ、ループ録音により得られるループ・フレーズを音質の良いものにすることができる。また、２周目以降の録音時には、自動伴奏を停止するので、その分、制御負荷を抑制できる。
【００５６】
また、２周目以降の録音時には、自動伴奏が停止されるが、伴奏音は、１周目の録音時に録音用メモリ１３ａに既に録音されているので、録音用メモリ１３ａに録音されている楽音の再生により、演奏者は伴奏音を引き続き聞くことができる。よって、演奏者は、伴奏音をガイド音として利用しつつ、重ね録音するための演奏情報や楽音の入力タイミングを計ることができるので、ループ録音によるループ・フレーズを容易に作成できる。
【００５７】
以上説明した通り、本実施形態の電子楽器１によれば、ループ録音による２周目以降の録音時には、自動伴奏を停止するので、自動伴奏による伴奏音が重ね録音されず、その結果として、音質の良いループ・フレーズを作成することができる。伴奏音を含むループ・フレーズは、ＵＳＢ３１などに保存すれば携帯可能であるので、ユーザの所望に応じた機器にて、伴奏音を含むループ・フレーズを再生することが可能である。
【００５８】
以上、実施形態に基づき本発明を説明したが、本発明は上記形態に何ら限定されるものではなく、本発明の趣旨を逸脱しない範囲内で種々の変形改良が可能であることは容易に推察できるものである。
【００５９】
例えば、上記実施形態では、伴奏音として、演奏情報（ＭＩＤＩデータ）に基づく自動伴奏（自動演奏）によって発生させた楽音を使用したが、これに限らず、オーディオデータの再生音や、メトロノームやクリックの再生音などを、伴奏音として使用してもよい。
【００６０】
また、上記実施形態では、ループ録音処理（図４参照）のＳ４０６において、自動伴奏を停止することにより、自動伴奏による伴奏音が、１周目の録音によって録音用メモリ１３ａに既に録音されている伴奏音に重ねて録音されないように構成した。これに換えて、Ｓ４０６において、自動伴奏により生じる伴奏音の音量をミュートする（即ち、オーディオ信号のレベルをゼロにする）構成としてもよい。この場合、ループ録音の２周目以降、録音用メモリ１３ａには、自動伴奏に基づく伴奏音が実質的に録音されないので、ループ録音の２周目以降において自動伴奏を停止する上記実施形態の場合と同様に、波形レベルの意図しない増幅や、位相がずれたような音色の発生などの不具合が生じることを防止することができ、得られるループ・フレーズを音質の良いものにすることができる。
【００６１】
あるいは、自動伴奏を停止することに換えて、Ｓ４０６において、自動伴奏により生じる伴奏音の音量を、ループフレーズの音質を損なわない程度に十分に小さくする構成としてもよい。
【００６２】
ループ録音の２周目以降において自動伴奏により生じる伴奏音の音量をミュートする構成を採用した場合、ループ録音の２周目以降においても、自動伴奏は継続して実行される。よって、かかる場合には、自動伴奏演奏情報の読み出しは継続して行われるので、読み出した演奏情報に基づく各種表示（例えば、コード進行の表示など）をＬＣＤ１５ａに出力することができるため、演奏者が演奏するために有用な情報を与えることができる。
【００６３】
また、上記実施形態では、ループ録音処理（図４参照）のＳ４０６において、自動伴奏パターンの読み出しを停止することにより自動伴奏を停止する構成としたが、自動伴奏演奏情報の読み出しは行うが、その自動伴奏演奏情報を音源１９に供給しないようにする構成としてもよい。あるいは、ループ録音の２周目以降において、自動伴奏演奏情報の読み出しと音源１９への供給は行うが、音源１９から出力された伴奏音を録音用メモリ１３ａに記憶させない（録音の対象としない）ようにしてもよい。
【００６４】
また、上記実施形態では、録音用メモリ１３ａに、楽音（オーディオ信号）を録音する構成としたが、録音用メモリ１３ａの記録対象が演奏情報（ＭＩＤＩデータ）としてもよい。ここで、図６は、ループ録音により演奏情報を録音（記録）する場合における演奏情報及び楽音の流れを模式的に示すルーティング図である。なお、図６において、上述した実施形態と同一の箇所には同一の符号を付し、その説明は省略する。また、この例では、上述した電子楽器１のようにＤＳＰ２０を必須とせず、音源１９から出力されるオーディオ信号を直接ＤＡＣ２１に接続することでも実現可能である。
【００６５】
図６に示すように、自動伴奏パターンメモリ１４ａに記憶され、演奏者により選択された１つの自動伴奏パターンを構成する自動伴奏演奏情報は、ＣＰＵ１１による制御によって読み出されて録音素材として供給される。なお、上記実施形態と同様、自動伴奏演奏情報は、１周目の録音時にのみ読み出され、２周目以降の録音時には、読み出しが停止（自動伴奏が停止）され、自動伴奏演奏情報の供給が停止される。
【００６６】
一方で、演奏者が鍵盤１６を用いて演奏を行った場合には、その演奏に基づく手弾き演奏情報が録音素材として供給される。また、外部ＭＩＤＩ機器４３から外部ＭＩＤＩ演奏情報が供給されると、その外部ＭＩＤＩ演奏情報が録音素材として供給される。
【００６７】
１周目の録音時には、少なくとも、自動伴奏演奏情報が録音用メモリ１３ａに上書き録音される。なお、１周目の録音時に、鍵盤１６からの手弾き演奏情報又は外部ＭＩＤＩ機器４３からの外部ＭＩＤＩ演奏情報が入力された場合には、入力された演奏情報が、自動伴奏情報と共に、上書きによって録音用メモリ１３ａに録音される。一方で、録音素材とされた演奏情報（少なくとも自動伴奏演奏情報を含む演奏情報）は、音源１９に供給され、供給された演奏情報に基づく楽音（オーディオ信号）が音源１９にて発生され、そのように発生した楽音がＤＡＣ２１に供給され、ＤＡＣ２１にてアナログ信号に変換された後、スピーカ４１から放音される。
【００６８】
１周目の録音により、少なくとも自動伴奏演奏情報を含む演奏情報が録音用メモリ１３ａに録音されると、録音用メモリ１３ａに録音された演奏情報に基づく楽音をループ再生するために、演奏情報の読み出しが開始され、読み出された演奏情報が録音素材として供給される。
【００６９】
上述した通り、２周目以降の録音時には、自動伴奏が停止されるために、自動伴奏演奏情報の供給が停止される。よって、２周目以降の録音時には、録音用メモリ１３ａから読み出された演奏情報（少なくとも自動伴奏演奏情報を含む演奏情報）と、鍵盤１６又は外部ＭＩＤＩ機器４３から入力された演奏情報（手弾き演奏情報、外部ＭＩＤＩ演奏情報）とが共に（即ち、両者の演奏情報が合わされて）、上書きによって録音用メモリ１３ａに録音される。一方で、２周目以降においても、合わされた後の演奏情報は、音源１９に供給され、供給された演奏情報に基づく楽音（オーディオ信号）が音源１９にて発生され、そのように発生した楽音がＤＡＣ２１に供給され、ＤＡＣ２１にてアナログ信号に変換された後、スピーカ４１から放音される。
【００７０】
よって、ループ録音により録音用メモリ１３ａに録音する対象を、楽音（オーディオ信号）から、演奏情報（ＭＩＤＩデータ）に換えた場合においても、２周目以降の録音では、自動伴奏が停止され、１周目の録音によって録音用メモリ１３ａに既に録音されている自動伴奏情報に、新たな自動伴奏情報が重ねて録音されることがない。そのため、同じ自動伴奏パターン（自動伴奏演奏情報）に基づく同じ伴奏音がほぼ同じタイミングで音源１９から出力されることがない。よって、音源１９から出力される楽音に、波形レベルの意図しない増幅や、位相がずれたような音色の発生などの不具合が生じることを防止できるので、ループ録音により得られるループ・フレーズを音質の良いものにすることができる。また、図６に示す例においても、２周目以降の録音時には、自動伴奏が停止されるが、１周目の録音時に録音用メモリ１３ａに既に録音されている自動伴奏演奏情報に基づいて伴奏音が再生されるので、演奏者は伴奏音を引き続き聞くことができる。
【００７１】
また、図６に示した例では、ループ録音における２周目以降の録音時には、自動伴奏を停止する（即ち、自動伴奏パターンメモリ１４ａからの自動伴奏演奏情報の読み出しを停止する）ことにより、自動伴奏演奏情報の供給を停止するものとしたが、自動伴奏演奏情報の読み出しは継続し、読み出した自動伴奏演奏情報に含まれる音量情報を、その自動伴奏演奏情報に基づき音源１９にて発生されるオーディオ信号のレベルがゼロになる値に設定した後に録音素材として供給するように構成してもよい。この場合、ループ録音の２周目以降にも、自動伴奏演奏情報が録音用メモリ１３ａに記憶されるが、音源１９からは、２周目以降に録音（記録）された自動伴奏情報に基づくオーディオ信号は実質的に音源１９から出力されず、１周目に録音（記録）された自動伴奏情報に基づくオーディオ信号のみが発生するので、上記実施形態の場合と同様に、波形レベルの意図しない増幅や、位相がずれたような音色の発生などの不具合が生じることを防止することができる。
【００７２】
あるいは、自動伴奏演奏情報の読み出しを停止することに換えて、自動伴奏演奏情報の読み出しは継続するが、読み出した自動伴奏演奏情報に含まれる音量情報を、その自動伴奏演奏情報に基づき音源１９にて発生されるオーディオ信号のレベルがループフレーズの音質を損なわない程度に十分に小さいレベルとなる値に設定した後に録音素材として供給する構成としてもよい。
【００７３】
また、図６に示した例のように、自動伴奏演奏情報の供給を停止するのではなく、自動伴奏演奏情報の読み出しは継続するが、読み出した自動伴奏演奏情報を録音用メモリ１３ａに記憶させない（録音の対象としない）ようにしてもよい。
【００７４】
また、上記実施形態では、ループ録音における１周目の録音の開始時から伴奏音を録音用メモリ１３ａに録音する構成としたが、録音用メモリ１３ａへの伴奏音の録音開始タイミングは１周目の録音開始時に限定されない。同様に、図６に示した例のように、録音用メモリ１３ａに自動伴奏演奏情報を記憶する場合もまた、録音用メモリ１３ａへの自動伴奏情報の録音開始タイミングは１周目の録音開始時に限定されない。例えば、録音用メモリ１３ａに録音される録音データの記録長（即ち、ループ・フレーズの長さ）を、ユーザが選択した自動伴奏パターンの演奏長として、ループ録音を開始し、ユーザが所望するタイミング（例えば、２周目の録音開始時や、３周目の録音途中など）から、伴奏音や自動伴奏情報の録音が開始される構成としてもよい。伴奏音又は自動伴奏情報の録音開始のトリガとしては、ユーザによるボタン操作などが例示される。例えば、ユーザがループ３周目の所望のタイミングでボタン操作を行った場合に、録音用メモリ１３ａに録音されていた楽音の再生音に、伴奏音の重ね録音を開始する構成とする。かかる場合には、例えば、自動伴奏パターンに基づく自動伴奏が最初から最後まで１回行われた後は、自動伴奏を停止したり等、伴奏音の重なりに基づく各種不具合を防止できる上述した制御を実行する構成とすればよい。これにより、上記実施形態の場合と同様に、得られるループ・フレーズを音質の良いものにすることができる。なお、上述のように再生音に、伴奏音を重ね録音する場合に、伴奏音と共に演奏音や外部入力音を重ね録音してもよいことはもちろんである。
【００７５】
また、上記実施形態では、自動伴奏パターンのティック数及び拍情報と、現在のテンポとを用いてループエンドポイントを算出し、このループエンドポイントを、ループ録音が１周目から２周目に切り替わりを判断するためのトリガとして用いたが、ユーザによる操作（例えば、ボタン操作）に基づき、ループ録音の１周目から２周目への切り替わりを判断するように構成してもよい。即ち、ユーザが１周目の終了だとしてボタンなどの操作子が操作された場合に、２周目のループ録音が開始されたと判断するようにしてもよい。
【００７６】
また、上記実施形態では、ループ録音処理（図４参照）において、ループの１周目は、録音用メモリ１３ａから楽音の読み出しは行わず、自動伴奏情報に基づき音源１９にて発生される楽音と、手弾き演奏情報などに基づき音源１９にて発生される楽音等とを合成して録音用メモリ１３ａに上書き録音する処理（上書き録音処理；Ｓ４０２）を行い、ループの２周目以降において、録音用メモリ１３ａから読み出した楽音と、手弾き演奏情報などに基づき音源１９にて発生される楽音等とを合成して録音用メモリ１３ａに重ね録音する処理（重ね録音処理；Ｓ４０８）を行うように構成した。これに換えて、録音用メモリ１３ａを値がゼロの楽音データで予め初期化しておき、ループの１周目から、録音用メモリ１３ａから読み出した楽音と、自動伴奏情報に基づき音源１９にて発生される楽音と、手弾き演奏情報などに基づき音源１９にて発生される楽音等とを合成して録音用メモリ１３ａに重ね録音を行うように構成してもよいことはもちろんである。なお、このことは、録音用メモリ１３ａの記録対象が演奏情報（ＭＩＤＩデータ）である場合も同様である。
【００７７】
また、上記実施形態では、電子楽器１が、ＵＳＢメモリ３１を接続可能なＵＳＢ＿Ｉ／Ｆ１８を有し、録音用メモリ１３ａに録音されている録音データを、ＵＳＢメモリ３１（保存用メモリ３１ａ）に保存する構成としたが、ＳＤカード（登録商標）などの各種メディア用のリーダライタを設け、録音用メモリ１３ａに録音されている録音データを各種メディアに保存したり、外付けのハードディスクドライブなどを接続可能にし、そのハードディスクドライブに、録音用メモリ１３ａに録音されている録音データを保存する構成としてもよい。
【００７８】
また、上記実施形態では、電子楽器１に内蔵されるフラッシュメモリ１４（自動伴奏パターンメモリ１４ａ）に記憶されている自動伴奏パターンに基づき自動伴奏を行う構成としたが、各種メディアや外付けのハードディスクドライブに記憶されている自動伴奏パターンを読み出して自動伴奏を行う構成としてもよい。
【００７９】
なお、請求項１に記載される「前記記憶手段に記憶された（所定区間の）楽音」としては、上記実施形態における「録音用メモリ１３ａに録音された楽音」が相当する。また、請求項２に記載される「前記記憶手段に記憶された（所定区間の）演奏情報」としては、図６に示した例における「録音用メモリ１３ａに録音された演奏情報」が相当する。
【００８０】
また、請求項１に記載される「伴奏音」としては、上記実施形態における「自動伴奏情報に基づき音源１９にて発生される楽音」や、オーディオデータの再生音による伴奏音や、メトロノームやクリックの再生音による伴奏音が相当する。また、請求項２に記載される「伴奏音」としては、図６に示した例における「自動伴奏情報に基づき音源１９にて発生される楽音」が相当する。
【００８１】
また、請求項１及び２に記載される「演奏音」としては、上記実施形態又は図６に示した例における「手弾き演奏情報に基づき音源１９にて発生される楽音」と、「外部ＭＩＤＩ演奏情報に基づき音源１９にて発生される楽音」と、「ＡＤＣ２２を介してマイク４２などの楽音入力機器から入力された外部入力音」とが相当する。なお、「演奏音」としては、手弾き演奏情報や外部ＭＩＤＩ演奏情報に限らず、伴奏音に合わせてループ・フレーズの素材として入力された各種演奏情報に基づき音源１９にて発生される楽音も含まれる。
【符号の説明】
【００８２】
１        電子楽器
１３ａ    録音用メモリ（記憶手段）
Ｓ４０６  伴奏音記憶制御手段
Ｓ４０８  ループ記憶制御手段
【図１】
2012093491.tif 000003
【図２】
2012093491.tif 000004
【図３】
2012093491.tif 000005
【図４】
2012093491.tif 000006
【図５】
2012093491.tif 000007
【図６】
2012093491.tif 000008